【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
表示状態を可変表示し表示結果を導出表示可能な可変表示装置を備え、予め定められている可変表示の始動条件が成立した後に可変表示の開始条件が成立したことを条件として可変表示を開始し、該可変表示の表示結果が特定表示結果となったときに遊技者にとって有利な特定遊技状態に制御し、所定条件が成立していることにより前記特定遊技状態が終了した後に通常遊技状態よりも前記特定遊技状態が発生しやすい特別遊技状態に制御する遊技機であって、
前記可変表示中に実行されるリーチ演出であって、リーチ演出内容が異なる複数種類のリーチ演出が記憶されたリーチ演出記憶手段と、
前記リーチ演出記憶手段から実行するリーチ演出を選択するためのデータであって、前記複数種類のリーチ演出から高い割合で選択するリーチ演出の種類が異なる複数の選択データが記憶された選択データ記憶手段と、
複数種類の報知演出が記憶された演出記憶手段と、
前記始動条件が成立したときに、当該始動条件の成立に基づく可変表示の表示結果として前記特定表示結果を導出表示させて前記特定遊技状態に制御するかを事前判定する事前判定手段と、
前記事前判定手段により前記特定遊技状態に制御させると判定されたときに、前記複数の選択データから所定の割振りでいずれかの選択データを選択する第１選択手段と、
前記事前判定手段により前記特定遊技状態に制御しないと判定されたときに、前記複数の選択データから前記所定の割振りと異なる割振りでいずれかの選択データを選択する第２選択手段と、
前記複数種類の報知演出から前記第１選択手段または前記第２選択手段により選択された選択データの種類、および前記始動条件の成立回数であって未だ可変表示の開始条件が成立していない始動条件の数に応じて実行する報知演出を選択する報知演出選択手段と、
前記事前判定手段によって判定された始動条件の成立に基づく可変表示の開始条件が成立する前に、前記報知演出選択手段によって選択された報知演出を実行する報知演出実行手段と、を備え、
前記報知演出選択手段は、前記複数の選択データのうち、選択された場合に前記事前判定手段により前記特定遊技状態に制御させると判定されている割合が他の選択データよりも低い特定の選択データが、前記第１選択手段または前記第２選択手段により選択されている場合において、前記特別遊技状態に制御されているときには前記報知演出を実行しないことを選択することを特徴とする、遊技機。
【手続補正２】
【補正対象書類名】明細書
【補正対象項目名】０００１
【補正方法】変更
【補正の内容】
【０００１】
本発明は、パチンコ遊技機、コイン遊技機、スロットマシンなどで代表される遊技機に関する。詳しくは、表示状態を可変表示し表示結果を導出表示可能な可変表示装置を備え、予め定められている可変表示の始動条件が成立した後に可変表示の開始条件が成立したことを条件として可変表示を開始し、該可変表示の表示結果が特定表示結果となったときに遊技者にとって有利な特定遊技状態に制御し、所定条件が成立していることにより前記特定遊技状態が終了した後に通常遊技状態よりも前記特定遊技状態が発生しやすい特別遊技状態に制御する遊技機に関する。
【手続補正３】
【補正対象書類名】明細書
【補正対象項目名】０００２
【補正方法】変更
【補正の内容】
【０００２】
この種の遊技機として従来から一般的に知られているものに、表示状態を可変表示し表示結果を導出表示可能な可変表示装置を備え、予め定められている可変表示の始動条件が成立した後に可変表示の開始条件が成立したことを条件として可変表示を開始し、該可変表示の表示結果が特定表示結果（大当り図柄の組合せ）となったときに遊技者にとって有利な特定遊技状態（大当り遊技状態）に制御し、所定条件が成立していることにより前記特定遊技状態が終了した後に通常遊技状態よりも前記特定遊技状態が発生しやすい特別遊技状態に制御する遊技機がある。
【手続補正４】
【補正対象書類名】明細書
【補正対象項目名】０００６
【補正方法】変更
【補正の内容】
【０００６】
（１）  表示状態を可変表示し表示結果を導出表示可能な可変表示装置（特別図柄表示部９、可変表示装置８）を備え、予め定められている可変表示の始動条件（たとえば、始動入賞口１４への打球の入賞等）が成立した後に可変表示の開始条件（たとえば、変動開始コマンド、変動パターン決定コマンド等）が成立したことを条件として可変表示（たとえば、スクロール変動等）を開始し、該可変表示の表示結果（確定停止図柄の組合せ）が特定表示結果（たとえば、大当り図柄の組合せ、すなわち「２２２」等のゾロ目等）となったときに遊技者にとって有利な特定遊技状態（大当り遊技）に制御し、所定条件（たとえば、「７７７」等の同一確変図柄のゾロ目）が成立していることにより前記特定遊技状態が終了した後に通常遊技状態よりも前記特定遊技状態が発生しやすい特別遊技状態（たとえば、高確率状態、いわゆる確変状態）に制御する遊技機（パチンコ遊技機１）であって、
前記可変表示中に実行されるリーチ演出であって、リーチ演出内容が異なる複数種類のリーチ演出（たとえば、スーパーリーチ，ミドルリーチ，ノーマルリーチ等の演出内容）が記憶されたリーチ演出記憶手段（たとえば、表示制御基板８０に備えられたＲＯＭ）と、
前記リーチ演出記憶手段から実行するリーチ演出を選択するためのデータ（たとえば、図９（ｂ）のＡテーブル，Ｂテーブル，Ｃテーブル，Ｄテーブルのそれぞれ）であって、前記複数種類のリーチ演出のうち高い割合で選択されるリーチ演出の種類が異なる複数の選択データが記憶された選択データ記憶手段（たとえば、図９（ｂ）の変動パターン振分率テーブル等）と、
複数種類の報知演出（たとえば、予告等の演出内容）が記憶された演出記憶手段（たとえば、表示制御基板８０に備えられたＲＯＭ）と、
前記始動条件が成立したときに、当該始動条件の成立に基づく可変表示の表示結果として前記特定表示結果を導出表示させて前記特定遊技状態に制御するかを事前判定する事前判定手段（図５のＳＡ０５、図７のＳＣ０４、図８のＳＤ０１〜ＳＤ０３など）と、
前記事前判定手段により前記特定遊技状態に制御させると判定されたときに、前記複数の選択データから所定の割振りでいずれかの選択データを選択する第１選択手段（図８のＳＤ０５）と、
前記事前判定手段により前記特定遊技状態に制御しないと判定されたときに、前記複数の選択データから前記所定の割振りと異なる割振りでいずれかの選択データを選択する第２選択手段（図８のＳＤ０６）と、
前記複数種類の報知演出から前記第１選択手段または前記第２選択手段により選択された選択データの種類、および前記始動条件の成立回数であって未だ可変表示の開始条件が成立していない始動条件の数に応じて実行する報知演出を選択する報知演出選択手段（たとえば、図１１のＳＦ０４，ＳＦ０６，ＳＦ０８，ＳＦ１１，ＳＦ１３等参照、図１４の予告（３ｎ−２），予告（３ｎ−１），予告（３ｎ）等であって、ｎの値により予告内容が変化する）と、
前記事前判定手段によって判定された始動条件の成立に基づく可変表示の開始条件が成立する前に、前記報知演出選択手段によって選択された報知演出を実行する報知演出実行手段と、を備え、
前記報知演出選択手段は、前記複数の選択データのうち、選択された場合に前記事前判定手段により前記特定遊技状態に制御させると判定されている割合が他の選択データよりも低い特定の選択データが、前記第１選択手段または前記第２選択手段により選択されている場合において、前記特別遊技状態に制御されているときには前記報知演出を実行しないことを選択する。
【手続補正５】
【補正対象書類名】明細書
【補正対象項目名】０００７
【補正方法】変更
【補正の内容】
【０００７】
このような構成によれば、始動条件成立時に当該始動条件の成立に基づく可変表示の表示結果として特定表示結果を導出表示させて特定遊技状態に制御するかを事前判定し、特定遊技状態に制御させると判定されたときには所定の割振りで選択データが選択され、特定遊技状態に制御しないと判定されたときには所定の割振りと異なる割振りで選択データが選択される。そして、選択された選択データの種類に応じて、実行するリーチ演出と報知演出とを選択し、事前判定された始動条件の成立に基づき可変表示が開始される前に該選択された報知演出を実行することができる。また、複数種類の選択データごとに記憶された選択割合のうち高い割合で選択されるリーチ演出が異なるようにデータが記憶されている。これにより、選択され実行される割合が高いリーチ演出の種類に応じた報知演出を、かかるリーチ演出が実行される可変表示が開始される前に実行することができるため、報知演出が実行されることにより高まる遊技者の期待を損ねることのないリーチ演出を提供することができ、遊技の興趣を向上させることができる。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２３
【補正方法】変更
【補正の内容】
【００２３】
以下に、本発明の実施の形態を図面にもとづいて詳細に説明する。なお、本実施の形態においては、弾球遊技機の一例としてパチンコ遊技機を示すが、本実施形態ではこれに限らず、コイン遊技機等のその他の弾球遊技機であってもよく、表示状態を可変表示し表示結果を導出表示可能な可変表示装置を備え、予め定められている可変表示の始動条件が成立した後に可変表示の開始条件が成立したことを条件として可変表示を開始し、該可変表示の表示結果が特定表示結果となったときに遊技者にとって有利な特定遊技状態に制御し、所定条件が成立していることにより前記特定遊技状態が終了した後に通常遊技状態よりも前記特定遊技状態が発生しやすい特別遊技状態に制御する遊技機であればすべて対象となる。